【事件の表示】
　特願２０００−２４２１２４号「画像表示装置及びその駆動方法」拒絶査定不服審判事件〔平成１３年７月２７日出願公開、特開２００１−２０２０６６号〕について、次のとおり審決する。
【結　論】
　本件審判の請求は、成り立たない。
【理　由】
第１　手続の経緯
　　　本件は、平成１１年１１月９日にされた特許出願（特願平１１−３１７７００号）に基づく優先権を主張して平成１２年８月１０日にされた特許出願（特願２０００−２４２１２４号。以下「本件出願」という。）につき、拒絶をすべき旨の査定が平成１７年１月２１日付けでされたところ、請求人が「原査定を取り消す、この出願の発明は特許をすべきものである」との審決を求めて拒絶査定不服審判を同年２月２４日に請求したものである。
　
第２　本件出願に係る発明
　　　本件出願の請求項１に係る発明（以下「本願発明」という。）は、平成１４年１０月２１日付け手続補正書及び平成１６年３月２９日付け手続補正書により補正された明細書及び図面の記載からみて、その特許請求の範囲の請求項１に記載された次のとおりのものである。
「【請求項１】
　マトリクス状に配置された複数の画素と、該画素の各列に配置された複数のデータ信号線と、該画素の行に配置された走査信号線と、前記複数のデータ信号線に所定のタイミング信号に同期して信号電位を出力するデータ信号線駆動回路と、前記複数の走査信号線に所定のタイミング信号に同期して走査信号を出力する走査信号線駆動回路と、前記画素、走査信号線及びデータ信号線を有し前記信号線駆動回路に入力される映像信号に基づき画像を表示する表示部と、所定の期間内に外部からの予備充電制御信号に応じて前記複数のデータ信号線に任意の予備充電電位を供給する予備充電回路とを備えた画像表示装置において、
　垂直帰線期間中に前記予備充電回路から前記データ信号線に、前記予備充電電位を少なくとも１回以上供給し、
　前記垂直帰線期間以外には、前記データ信号線駆動回路から前記データ信号線を介した前記画素への前記信号電位供給開始時から始まる各水平期間において、次の水平期間の前記信号電位供給のための、前記予備充電回路から前記データ信号線への前記予備充電電位の供給期間を、当該各水平期間における前記信号電位の前記画素への供給終了時から、当該各水平期間の終了時までとすることを特徴とする画像表示装置。」
　
第３　引用刊行物に記載された発明
　　　原査定の拒絶の理由に引用された刊行物及びその記載事項は、以下のとおりである。
　１　特開平９−３３００６１号公報（以下「刊行物１」という。）
　　　刊行物１には、図面とともに、以下のような記載がされている。
　（１）「【０００１】【発明の属する技術分野】本発明は強い光を照射して使用される液晶表示装置およびその駆動方法に関するものである。」
　（２）「【００１１】図１は本発明の第１の実施の形態における液晶表示装置の構成図を示し、図２は液晶表示装置に入力する信号波形を示すものである。図１において、１はＭＯＳ型の画素トランジスタ、２は画素容量、３は画素トランジスタ１の一方の端子に接続された液晶、４は画素トランジスタ１のゲートに接続されたゲート線、５は画素容量２に接続された画素容量電極線、６は画素トランジスタ１の他方の端子に接続された信号線、７はゲート線４を出力線とする垂直走査回路、８は水平走査回路、９は水平走査回路の出力線、１０はビデオ信号入力線、１１はビデオ信号入力線１０と信号線６間に接続されたアナログスイッチ、１２は水平走査回路の出力線９とＯＲゲート制御線１３とが入力端子に接続され、出力端子がアナログスイッチ１１のゲートに接続されたＯＲゲート、１３はＯＲゲート制御線である。図２において、（ａ）はビデオ信号波形、（ｂ）はＯＲゲート制御信号波形であり、ビデオ信号は図１のビデオ信号入力線１０に印加され、ＯＲゲート制御信号は図１のＯＲゲート制御線１３に印加される。【００１２】最初に、水平映像期間の動作について説明する。この期間はＯＲゲート制御信号は低（ロー）レベルとなっており、ＯＲゲート１２は水平走査回路８の出力が高（ハイ）レベルのときにのみ、ハイレベル信号を出力する。アナログスイッチ１１はＮチャネル型ＭＯＳトランジスタで構成されており、ＯＲゲート１２がハイレベル信号を出力したときにオンとなる。したがって、水平映像期間は従来の液晶表示装置と同一動作を行う。【００１３】次に、水平ブランキング期間中では、ＯＲゲート制御信号はハイレベルとなる。その結果、水平走査回路の出力線９がすべてローレベルとなっているにも関わらず、ＯＲゲート１２はハイレベル信号を出力してすべてのアナログスイッチ１１をオンにする。一般に水平ブランキング期間中のビデオ信号は図示するように最大振幅を入力するが、ノーマリホワイト型の液晶表示装置では黒信号であるため、すべての信号線６に黒信号が書き込まれることとなる。このとき画素は保持動作を行っているが、画素トランジスタ１にリーク電流が発生した場合、信号線６が黒信号の情報であるために、信号線６に接続された縦方向の画素に均一に黒信号が混ざることとなる。そのため、縦方向に画像情報が混じりあうクロストークは発生しにくい。」
　（３）「【００１８】【発明の効果】以上のように本発明はすべてのアナログスイッチをオンすることができる制御回路を設けることにより、クロストークを低減することができる優れた液晶表示装置を実現できるものである。」
　２　特開平１１−２９６１４８号公報（以下「刊行物２」という。）
　　　刊行物２には、図面とともに、以下のような記載がされている。
　（１）「【０００１】【発明の属する技術分野】本発明は、薄膜トランジスタ（以下、ＴＦＴと称す）駆動、薄膜ダイオード（以下、ＴＦＤと称す）駆動等によるアクティブマトリクス駆動方式の液晶パネル等の電気光学パネルを備えた電気光学装置に対し、画像信号、クロック信号等を供給する駆動回路及び駆動方法、並びに該電気光学装置及び駆動回路を備えた電子機器の技術分野に属する。特に本発明は、クロック信号に基づいて垂直走査やフィールド走査或いはフレーム走査を行うと共に、少なくとも走査線（行）毎に画素電極への印加電圧の極性を反転させる、即ち画素電極への印加電圧を画像信号の振幅の中心を基準電位として反転させる反転駆動方式により駆動する駆動回路等の技術分野に属する。」
　（２）「【００９３】（第３の実施の形態）次に、第３の実施の形態について図１０を参照して説明する。ここに図１０（ａ）は、第３の実施の形態におけるデータ線駆動回路のブロック図であり、図１０（ｂ）は、そのタイミングチャートである。本実施の形態は、第１及び第２の実施の形態の場合と同様に、本発明をＴＦＴ駆動によるアクティブマトリクス駆動方式の液晶装置に適用したものである。尚、本実施の形態は、図７に示した第２の実施の形態における信号供給装置３００’を備えており、第２の実施の形態のデータ線駆動回路１０１に対して若干の変更を加えて（液晶表示部１ａ、走査線駆動回路１０４、サンプリング回路３０１等については同様に）構成したものである。従って、ここでは、本第３の実施の形態の特徴部であるデータ線駆動回路について説明し、その他の装置、回路等についての説明は省略する。【００９４】図１０（ａ）において、データ線駆動回路１０１’は、第１及び第２実施の形態の場合と同様のシフトレジスタ回路１０１ａ及び複数のサンプリングスイッチ３０２を備えたサンプリング回路３０１に加えて、複数のサンプリングスイッチ３０２に対して夫々設けられており、信号供給装置３００’（図７参照）から供給されるブランキング信号ＢＬＫに従ってクロック信号ＣＬＸの休止期間に、複数のサンプリングスイッチ３０２を一斉に閉じる（サンプリング状態とする）サンプリングスイッチ制御手段の一例を構成する複数の論理和回路４２０を備えて構成されている。【００９５】次に、このように構成された第３の実施の形態の動作を説明する。【００９６】先ず信号処理回路３１０’（図７参照）により、垂直走査に対応する形式に処理され且つ液晶印加電圧の極性が少なくとも走査線３１毎に反転するように処理された画像信号Ｖｉが、画像信号線４００を介してサンプリング回路３０１に供給される。これと並行して、タイミング発生回路３２０’により、クロック信号ＣＬＸは、シフトレジスタ回路１０１ａへ供給される。このようにクロック信号ＣＬＸが供給されると、シフトレジスタ回路１０１ａにより、クロック信号ＣＬＸに同期して、複数のデータ線３５の夫々に対応する転送信号が順次発生される。そして、複数のサンプリングスイッチ３０２により、画像信号Ｖｉがこの転送信号に応じてデータ線３５毎にサンプリングされ、データ信号としてデータ線３５に夫々印加される。同時に、図示しない走査線駆動回路１０１（図７参照）により、複数の走査線３１に走査信号が順次印加される。これらにより、液晶表示部１ａにおける複数の画素部において、データ信号及び走査信号により走査線（行）反転駆動方式の垂直走査が行われる。【００９７】他方、垂直帰線期間内の休止期間中には、このクロック信号ＣＬＸがタイミング発生回路３２０’により休止される。この結果、休止期間中は、クロック信号ＣＬＸに応じたシフトレジスタ回路１０１ａ及びサンプリング回路３０１による高周波の液晶電圧印加動作が休止される。このため、液晶印加電圧として消費される電力消費を、クロック信号を休止しなかった従来の場合と比較して、全時間に対する休止期間の比率分だけ低減できる。【００９８】そして特に休止期間には、サンプリングスイッチ駆動信号線４１０を介してタイミング発生回路３２０’から供給されるブランキング信号ＢＬＫが各論理和回路４２０を介してサンプリングスイッチ３０２に供給されることにより、該サンプリングスイッチ３０２が一斉に閉じられて、画像信号Ｖｉが一斉に複数のデータ線３５に印加されるので、図１０（ｂ）に示したように休止期間Ｔ１及びＴ２中におけるデータ線３５上の電位は、一水平走査期間に等しい期間毎に極性が反転する電位とされる。即ち、前述した図１６の例のようにデータ線３５上の電位が相前後する休止期間で相異なった値に固定されることはないので、休止期間の周期の２倍の周期を持つフリッカの発生を低減できる。【００９９】特に本実施の形態では、信号処理回路３１０’は休止期間中に、一水平走査期間で極性が反転すると共に所定電位のダミー画像信号を画像信号Ｖｉの代わりに画像信号線へ供給するように構成されている。このため、休止期間中には、一水平走査期間で極性が反転すると共に所定電位のダミー画像信号が、画像信号Ｖｉの代わりに画像信号線へ供給されるので、各休止期間におけるデータ線３５上の電位は一水平走査期間に等しい期間毎に極性が反転する電位とされ、前述のフリッカの発生を低減できる。この場合のダミー画像信号としては、液晶印加電圧の最大値（即ち、ノーマリーホワイトモードで黒表示）に対応する電位とされるので、前述のフリッカの発生を有効に低減できる。
【０１００】以上説明したように、第３の実施の実施の形態によれば、フリッカの低減及び電力消費の低減を図ることができる。」
　３　特開平７−２９５５２０号公報（以下「刊行物３」という。）
　　　刊行物３には、図面とともに、以下のような記載がされている。
　（１）「【０００１】【産業上の利用分野】本発明はアクティブマトリクス表示装置及びその駆動方法に関する。より詳しくは、点順次駆動におけるビデオラインの電位揺れ防止技術に関する。」
　（２）「【０００９】【実施例】以下図面を参照して本発明の好適な実施例を詳細に説明する。図１は本発明にかかるアクティブマトリクス表示装置の第１実施例を示す回路図である。本アクティブマトリクス表示装置は行状のゲート線Ｘと、列状の信号線Ｙと、両者の各交差部に配された行列状の液晶画素ＬＣとを備えている。本実施例では電気光学物質として液晶を利用した画素ＬＣを備えているが、本発明はこれに限られるものではなく他の電気光学物質を用いても良い。個々の液晶画素ＬＣに対応して駆動用の薄膜トランジスタＴｒが設けられている。薄膜トランジスタＴｒのソース電極は対応する信号線Ｙに接続され、ゲート電極は対応するゲート線Ｘに接続され、ドレイン電極は対応する液晶画素ＬＣに接続されている。【００１０】Ｖドライバ１が設けられており、各ゲート線Ｘを線順次走査し一水平期間毎に一行分の液晶画素ＬＣを選択する垂直走査回路を構成する。具体的には、Ｖドライバ１は垂直クロック信号ＶＣＫに同期して垂直スタート信号ＶＳＴを順次転送し選択パルスφＶ１，φＶ２，…，φＶＭを各ゲート線Ｘに出力する。これにより、薄膜トランジスタＴｒが開閉制御される。【００１１】又、Ｈドライバ２を備えており、一水平期間内で映像信号ＶＳＩＧを各信号線Ｙに順次サンプリングし、選択された一行分の液晶画素ＬＣに点順次で映像信号ＶＳＩＧの書き込みを行なう水平走査回路を構成する。具体的には、各信号線Ｙの一端には水平スイッチング素子ＨＳＷ１，ＨＳＷ２，ＨＳＷ３，ＨＳＷ４，…，ＨＳＷＮが設けられており、各々ビデオライン３に接続され映像信号ＶＳＩＧの供給を受ける。一方Ｈドライバ２は所定の水平クロック信号ＨＣＫに同期して水平スタート信号ＨＳＴを順次転送し、サンプリングパルスφＨ１，φＨ２，φＨ３，φＨ４，…，φＨＮを出力する。これらのサンプリングパルスは対応する水平スイッチング素子を開閉制御し、個々の信号線Ｙに映像信号ＶＳＩＧをサンプリングホールドする。【００１２】本発明の特徴事項としてプリチャージ手段４を備えており、各信号線Ｙに対する映像信号ＶＳＩＧの順次サンプリングに先行して、所定のプリチャージ信号ＶＰＳを各信号線Ｙに順次供給し、サンプリングによる各信号線Ｙの充放電を抑制する。これにより、ビデオライン３の電位揺れが少なくなる。具体的には、プリチャージ手段４は個々の信号線Ｙの端部に接続した追加のスイッチング素子ＰＳＷ１，ＰＳＷ２，ＰＳＷ３，ＰＳＷ４，…，ＰＳＷＮを有している。又、Ｐドライバ５を有しており、追加のスイッチング素子ＰＳＷを順次開閉制御して各信号線Ｙにプリチャージ信号ＶＰＳを供給する制御手段を構成している。具体的には、Ｐドライバ５はＨドライバ２と同様の構成を有しており、水平クロック信号ＰＣＫに同期して水平スタート信号ＰＳＴを順次転送し、プリチャージ用のサンプリングパルスφＰ１，φＰ２，φＰ３，φＰ４，…，φＰＮを出力する。これらプリチャージ用のサンプリングパルスにより追加の水平スイッチング素子ＰＳＷが順次開閉制御される。本実施例では制御手段がＨドライバ２とは別に設けられたＰドライバ５からなる水平走査回路で構成され、各スイッチング素子ＰＳＷを順次開閉制御する構成になっている。なお���Ｈドライバ２やＰドライバ５等の水平走査回路はシフトレジスタを基本構成とし、薄膜トランジスタあるいは単結晶シリコントランジスタを集積形成したものである。又、映像信号サンプリング用のスイッチング素子ＨＳＷやプリチャージ信号サンプリング用のスイッチング素子ＰＳＷは、ＮＭＯＳ，ＰＭＯＳ，ＣＭＯＳ等で構成する事ができる。又、本実施例ではＨドライバ２とＰドライバ５は信号線Ｙの両端側に分かれて配設されているが、Ｈドライバ２とＰドライバ５を同一側に集積形成しても良い。この場合には水平スイッチＨＳＷとＰＳＷも信号線Ｙの一端側に設けられる事になる。」
　
第４　当審の判断
　　　本願発明と刊行物１に記載された発明とを対比すると、刊行物１に記載された画素トランジスタ１、画素容量２及び液晶３は、本願発明の「画素」に相当し、刊行物１に記載された信号線６、ゲート線４は、それぞれ本願発明の「データ信号線」、「走査信号線」に相当し、刊行物１に記載された水平走査回路８、垂直走査回路７は、それぞれ本願発明の「データ信号線駆動回路」、「走査信号線駆動回路」に相当し、刊行物１の画素トランジスタ１、画素容量２及び液晶３を行列状に配置した部分は、本願発明の「表示部」に相当する。刊行物１に記載されたＯＲゲート制御信号は、本願発明の「予備充電制御信号」に相当する。刊行物１に記載された液晶表示装置は、本願発明の「画像表示装置」に相当する。
　　　そうすると、本願発明は、刊行物１に記載された発明と以下の一致点で一致し、以下の相違点で相違する。
　　　一致点　「マトリクス状に配置された複数の画素と、該画素の各列に配置された複数のデータ信号線と、該画素の行に配置された走査信号線と、前記複数のデータ信号線に所定のタイミング信号に同期して信号電位を出力するデータ信号線駆動回路と、前記複数の走査信号線に所定のタイミング信号に同期して走査信号を出力する走査信号線駆動回路と、前記画素、走査信号線及びデータ信号線を有し前記信号線駆動回路に入力される映像信号に基づき画像を表示する表示部と、所定の期間内に外部からの予備充電制御信号に応じて前記複数のデータ信号線に任意の予備充電電位を供給する」「画像表示装置において」、「垂直帰線期間以外には、前記データ信号線駆動回路から前記データ信号線を介した前記画素への前記信号電位供給開始時から始まる各水平期間において、次の水平期間の前記信号電位供給のための」「前記データ信号線への前記予備充電電位の供給期間を、当該各水平期間における前記信号電位の前記画素への供給終了時から、当該各水平期間の終了時までとする」「画像表示装置」である点。
　　　相違点１　本願発明では「予備充電回路」を備えているのに対し、刊行物１にはこのような記載がされていない点。
　　　相違点２　本願発明では「垂直帰線期間中に」「前記データ信号線に、前記予備充電電位を少なくとも１回以上供給」するのに対し、刊行物１にはこのような記載がされていない点。
　　　相違点１について検討すると、予備充電、プリチャージのための回路、ドライバを用いることは、例えば刊行物３に示され、周知であり、このような技術手段を刊行物１に記載された発明に適用し、相違点１のようにすることは当業者が適宜に行い得ることである。
　　　相違点２について検討すると、垂直帰線期間に所定電位を信号線に供給することは、例えば刊行物２に示され、周知であり、このような技術手段を刊行物１に記載された発明に適用し、相違点２のようにすることは当業者が適宜に行い得ることである。
　　　本願発明の奏する効果についてみても、刊行物１に記載された発明及び刊行物２、３に示される周知の技術手段から予測し得る範囲内のものであり、格別のものではない。
　　　したがって、本願発明は、当業者が刊行物１に記載された発明及び刊行物２、３に示される周知の技術手段に基いて容易に発明をすることができたものである。
　
第５　まとめ
　　　以上のとおりであるから、本件出願の請求項１に係る発明である本願発明は特許法２９条２項の規定により特許をすることができないものであり、その余の請求項に係る発明についての判断を示すまでもなく、本件出願は、拒絶をすべきものである。
　　　よって、結論のとおり審決する。